【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
（ａ）分子当たり少なくとも３個のイソシアネート基を含有する少なくとも１つのポリイソシアネート、（ｂ）少なくとも１個の反応性ツェレウィチノフ水素原子とそれらのそれぞれが少なくとも２個のフッ素原子を含有する少なくとも２個の炭素原子とを有する単一の官能基を分子当たり含有する少なくとも１つのフルオロケミカル試薬、および（ｃ）少なくとも１個の反応性ツェレウィチノフ水素原子を有する単一の官能基を分子当たり含有する少なくとも１つの親水性の水溶媒和性試薬を接触させ、そしてその後（ｄ）水と接触させることによって製造された少なくとも１つの尿素結合含有アルコキシポリオキシアルキレンフルオロカルバメートの自己乳化性または自己分散性の水性溶液または分散液を含む組成物を用いる繊維質基材に表面特性を与えるためのシステムにおいて、前記ポリイソシアネートと前記試薬（ｂ）および（ｃ）の当量が、前記試薬が前記イソシアネート基の５５％〜９５％と反応し、そして水が残りのイソシアネート基の全てと反応するようなものであり、耐久性のある親水性および耐久性のあるしみ除去性をそれで処理された基材に与えるために式Ｆ（ＣＦ2）aＣＨ2ＣＨ2ＯＨ（式中、ａは４、６、もしくは８、またはそれらの混合であるが、ただし、ａは最高で５０％が８である）のフルオロケミカル試薬を使用することを特徴とするシステム。
【請求項２】
（ａ）分子当たり少なくとも３個のイソシアネート基を含有する少なくとも１つのポリイソシアネート、（ｂ）式Ｆ（ＣＦ2）aＣＨ2ＣＨ2ＯＨ（式中、ａは４、６、もしくは８、またはそれらの混合であるが、ただし、ａは最高で５０％が８である）の少なくとも１つのフルオロケミカル試薬、および（ｃ）少なくとも１個の反応性ツェレウィチノフ水素原子を有する単一の官能基を分子当たり含有する少なくとも１つの親水性の水溶媒和性試薬を接触させ、そしてその後（ｄ）水と接触させることによって製造された少なくとも１つの尿素結合含有アルコキシポリオキシアルキレンフルオロカーバメートの自己乳化性または自己分散性の水性溶液または分散液の組成物と繊維質基材を接触させる工程を含み、前記ポリイソシアネートと前記試薬（ｂ）および（ｃ）当量が、前記試薬が前記イソシアネート基の５５％〜９５％と反応し、そして水が残りのイソシアネート基の全てと反応するようなものであることを特徴とする、繊維質基材に耐久性のある親水性および耐久性のあるしみ除去を与える方法。
【請求項３】
請求項１に記載の組成物で処理されることを特徴とする繊維質基材。
【手続補正２】
【補正対象書類名】明細書
【補正対象項目名】０１０１
【補正方法】変更
【補正の内容】
【０１０１】
表５のデータは、一般に親水性が、フッ素成分対ＭＰＥＧ成分の所与のモル比のために使用されるより短い鎖長のパーフルオロアルキル基とより高い分子量のメトキシポリエチレングリコール部分との組み合わせで増加したことを示す（実施例１０、１２および１６参照されたい）。さらに、フッ素対ＭＰＥＧのモル比は、親水性しみ除去性能にも寄与した。約５５０未満のＭＰＥＧ分子量については、２：１未満のフッ素対ＭＰＥＧのモル比がより良好な親水性を与えた（実施例１２、１３、１４および１６を参照されたい）。より高いＭＰＥＧ分子量については、フッ素対ＭＰＥＧのより高い比もまた有効であった。
本出願は、特許請求の範囲に記載の発明を復命化の発明を包含する。
（１）  （ａ）分子当たり少なくとも３個のイソシアネート基を含有する少なくとも１つのポリイソシアネート、（ｂ）少なくとも１個の反応性ツェレウィチノフ水素原子とそれらのそれぞれが少なくとも２個のフッ素原子を含有する少なくとも２個の炭素原子とを有する単一の官能基を分子当たり含有する少なくとも１つのフルオロケミカル試薬、および（ｃ）少なくとも１個の反応性ツェレウィチノフ水素原子を有する単一の官能基を分子当たり含有する少なくとも１つの親水性の水溶媒和性試薬を接触させ、そしてその後（ｄ）水と接触させることによって製造された少なくとも１つの尿素結合含有アルコキシポリオキシアルキレンフルオロカルバメートの自己乳化性または自己分散性の水性溶液または分散液を含む組成物を用いる繊維質基材に表面特性を与えるためのシステムにおいて、前記ポリイソシアネートと前記試薬（ｂ）および（ｃ）の当量が、前記試薬が前記イソシアネート基の５５％〜９５％と反応し、そして水が残りのイソシアネート基の全てと反応するようなものであり、耐久性のある親水性および耐久性のあるしみ除去性をそれで処理された基材に与えるために式Ｆ（ＣＦ2）aＣＨ2ＣＨ2ＯＨ（式中、ａは４、６、もしくは８、またはそれらの混合であるが、ただし、ａは最高で５０％が８である）のフルオロケミカル試薬を使用することを特徴とするシステム。
（２）  前記フルオロケミカル試薬が式Ｆ（ＣＦ2）aＣＨ2ＣＨ2ＯＨ（式中、ａは４もしくは６である）のパーフルオロアルキルエチルアルコールか、または式Ｆ（ＣＦ2）aＣＨ2ＣＨ2ＯＨ（式中、ａは主に４もしくは６の混合である）のパーフルオロアルキルエチルアルコール混合物であることを特徴とする（１）に記載のシステム。
（３）  親水性の水溶媒和性成分（ｃ）が式
【化１】
2009536695.tif 000001
（式中、Ｒは最大で６個の脂肪族または脂環式炭素原子を含有する一価炭化水素基であり、そしてｍおよびｎはそれぞれ繰り返しオキシエチレンおよびオキシプロピレン基の平均数であり、そしてｍは正の整数であるが、ｎは正の整数かまたはゼロである）
の少なくとも１つのエチレンオキシドまたはエチレンオキシド／プロピレンオキシド由来ポリマーであることを特徴とする（１）に記載のシステム。
（４）  親水性の水溶媒和性試薬（ｃ）が、３５０〜２０００の平均分子量を有する、メトキシポリエチレングリコールかまたはその混合物であることを特徴とする（１）に記載のシステム。
（５）  親水性の水溶媒和性成分（ｃ）が５５０以下の分子量を有するとき、フルオロケミカル試薬（ｂ）対親水性の水溶媒和性試薬（ｃ）の比ｘ：ｙが、ｙが１であるときｘが最大で２であるようなものであることを特徴とする（１）に記載のシステム。
（６）  親水性の水溶媒和性成分（ｃ）が７５０以下の分子量を有するとき、フルオロケミカル試薬（ｂ）対親水性の水溶媒和性試薬（ｃ）の比ｘ：ｙが、ｙが１であるときｘが最大で３であるようなものであることを特徴とする（１）に記載のシステム。
（７）  （ａ）分子当たり少なくとも３個のイソシアネート基を含有する少なくとも１つのポリイソシアネート、（ｂ）式Ｆ（ＣＦ2）aＣＨ2ＣＨ2ＯＨ（式中、ａは４、６、もしくは８、またはそれらの混合であるが、ただし、ａは最高で５０％が８である）の少なくとも１つのフルオロケミカル試薬、および（ｃ）少なくとも１個の反応性ツェレウィチノフ水素原子を有する単一の官能基を分子当たり含有する少なくとも１つの親水性の水溶媒和性試薬を接触させ、そしてその後（ｄ）水と接触させることによって製造された少なくとも１つの尿素結合含有アルコキシポリオキシアルキレンフルオロカーバメートの自己乳化性または自己分散性の水性溶液または分散液の組成物と繊維質基材を接触させる工程を含み、前記ポリイソシアネートと前記試薬（ｂ）および（ｃ）当量が、前記試薬が前記イソシアネート基の５５％〜９５％と反応し、そして水が残りのイソシアネート基の全てと反応するようなものであることを特徴とする、繊維質基材に耐久性のある親水性および耐久性のあるしみ除去を与える方法。
（８）  親水性の水溶媒和性成分（ｃ）が式
【化２】
2009536695.tif 000002
（式中、Ｒは最高で６個の脂肪族または脂環式炭素原子を含有する一価炭化水素基であり、そしてｍおよびｎはそれぞれ繰り返しオキシエチレンおよびオキシプロピレン基の平均数であり、そしてｍは正の整数であるが、ｎは正の整数かまたはゼロである）
の少なくとも１つのエチレンオキシドまたはエチレンオキシド／プロピレンオキシド由来ポリマーであることを特徴とする（７）に記載の方法。
（９）  親水性の水溶媒和性試薬（ｃ）が、３５０〜２０００の平均分子量を有する、メトキシポリエチレングリコールまたはその混合物であることを特徴とする（７）に記載の方法。
（１０）  （１）に記載の組成物で処理されることを特徴とする繊維質基材。